(57)【要約】【課題】端子台に対する結線作業の作業性の低下を抑えつつ端子台への異物の付着を抑制することが可能な照明器具を提供する。【解決手段】電源ユニット３は、回路ブロック３２と電気的に接続されてケース３０の第１外表面（第１の側板３０１の外表面）に取り付けられる端子台（第１端子台３３又は第１端子台３３と第２端子台３４）と、端子台を覆うカバー３１とを有している。カバー３１は、端子台を覆う閉位置と、端子台を露出させる開位置との間で回転可能にケース３０に取り付けられている。さらに、カバー３１は、少なくとも閉位置において、器具本体４から離れる向きにスライド可能にケース３０に取り付けられている。【選択図】        図１
2018077957.tif 000002
【特許請求の範囲】
【請求項１】
光源ユニットと、前記光源ユニットを点灯させる電源ユニットと、前記光源ユニット及び前記電源ユニットを保持する器具本体とを備え、
前記電源ユニットは、外部から供給される電力を前記光源ユニットに必要とされる電力に変換する電力変換回路と、箱形に形成されて前記電力変換回路を内部に収納するケースと、前記電力変換回路と電気的に接続されて前記ケースの第１外表面に取り付けられる端子台と、端子台を覆うカバーとを有し、
前記カバーは、前記ケースに設けられた前記端子台を覆う閉位置と、前記端子台を露出させる開位置との間で回転可能に前記ケースに取り付けられ、
さらに、前記カバーは、少なくとも前記閉位置において、前記器具本体から離れる向きにスライド可能に前記ケースに取り付けられている
ことを特徴とする照明器具。
【請求項２】
前記電源ユニットは、閉位置の前記カバーと前記器具本体をねじ止めする固定ねじを備え、
前記固定ねじは、軸方向を前記カバーのスライド方向に平行させるように前記カバーに取り付けられており、
前記器具本体は、前記固定ねじのねじ部と嵌め合わされる雌ねじ部を有する
ことを特徴とする請求項１記載の照明器具。
【請求項３】
前記電源ユニットは、前記端子台に結線される電線を、前記閉位置における前記カバーの外に引き出させる引出部を有している
ことを特徴とする請求項１又は２記載の照明器具。
【請求項４】
前記カバーは複数の側壁を有する箱形に形成されており、
前記引出部は、前記複数の側壁のうちの少なくとも１つの側壁に設けられた凹部であり、
前記凹部は、前記閉位置において前記ケース及び前記器具本体に向けて開放されている
ことを特徴とする請求項３記載の照明器具。
【請求項５】
前記ケースは、多辺形状の天板と、前記天板のそれぞれの辺から曲げ起こされている複数の側板とを有し、
前記複数の側板のうちの１つの側板に前記端子台が取り付けられており、
前記１つの側板の端縁において、前記引出部に臨む箇所が曲面形状に形成されている
ことを特徴とする請求項３又は４記載の照明器具。
【請求項６】
長手方向の両端において前記器具本体に回転可能に取り付けらるアームを備え、
前記アームの回転は、前記開位置の前記カバーと接触しない範囲に規制されている
ことを特徴とする請求項１〜５のいずれか１項に記載の照明器具。
【発明の詳細な説明】
【技術分野】
【０００１】
本発明は、照明器具に関し、より詳細には、電源ユニットを器具本体に搭載した照明器具に関する。
【背景技術】
【０００２】
従来例として、特許文献１記載の照明器具を例示する。特許文献１記載の照明器具（以下、従来例と呼ぶ。）は、体育館やホールなどの天井の高い建物に設置され、照明空間を上方から照明する、いわゆる高天井用の照明器具である。
【０００３】
前記従来例は、４つの光源ユニットと、４つの光源ユニットを保持する保持部材と、４つの光源ユニットに給電する電源ユニットと、保持部材を回転可能に支持するアームとを備えている。
【０００４】
電源ユニットは、電力変換回路と、電力変換回路を収納する箱形のケースと、外部の電源線が電気的に接続される端子台とを有している。端子台は、ケースの側壁の外表面に配置されている。つまり、端子台は、ケースの外に露出している。
【先行技術文献】
【特許文献】
【０００５】
【特許文献１】特開２０１６−１００３１８号公報
【発明の概要】
【発明が解決しようとする課題】
【０００６】
ところで、上記従来例は、端子台をケースの外に露出させているため、端子台に塵埃などの異物が付着し易い。しかしながら、端子台がケース内に収納されると、端子台と電源線との結線作業の作業性を低下させてしまう。
【０００７】
本発明の目的は、端子台に対する結線作業の作業性の低下を抑えつつ端子台への異物の付着を抑制することが可能な照明器具を提供することである。
【課題を解決するための手段】
【０００８】
本発明の一態様に係る照明器具は、光源ユニットと、前記光源ユニットを点灯させる電源ユニットと、前記光源ユニット及び前記電源ユニットを保持する器具本体とを備えている。前記電源ユニットは、外部から供給される電力を前記光源ユニットに必要とされる電力に変換する電力変換回路と、箱形に形成されて前記電力変換回路を内部に収納するケースとを有している。さらに、前記電源ユニットは、前記電力変換回路と電気的に接続されて前記ケースの第１外表面に取り付けられる端子台と、端子台を覆うカバーとを有している。前記カバーは、前記ケースに設けられた前記端子台を覆う閉位置と、前記端子台を露出させる開位置との間で回転可能に前記ケースに取り付けられている。さらに、前記カバーは、少なくとも前記閉位置において、前記器具本体から離れる向きにスライド可能に前記ケースに取り付けられている。
【発明の効果】
【０００９】
本発明は、端子台に対する結線作業の作業性の低下を抑えつつ端子台への異物の付着を抑制することが可能な照明器具を提供することができる。
【図面の簡単な説明】
【００１０】
【図１】図１は、本発明の一実施形態に係る照明器具を上方から見た斜視図である。
【図２】図２は、同上の照明器具を下方から見た斜視図である。
【図３】図３は、同上の照明器具の断面図である。
【図４】図４は、同上の照明器具における電源ユニットの分解斜視図である。
【図５】図５は、同上の照明器具における電源ユニットのカバーを開いた状態の斜視図である。
【図６】図６は、同上の照明器具の側面図である。
【図７】図７は、同上の照明器具のカバーが上にスライドした状態の側面図である。
【図８】図８は、同上の照明器具のカバーが開位置に回転した状態の側面図である。
【発明を実施するための形態】
【００１１】
以下、本発明の一実施形態に係る照明器具１について、図面を参照して詳細に説明する。なお、以下の実施形態で説明する構成は本発明の一例にすぎない。本発明は、以下の実施形態に限定されず、本発明の効果を奏することができれば、設計等に応じて種々の変更が可能である。
【００１２】
本実施形態の照明器具１は、従来例と同様に体育館やホールなどの天井の高い建物に設置される高天井用の照明器具である。照明器具１は、図１〜図３に示すように、光源ユニット２と、光源ユニット２を点灯させる電源ユニット３と、光源ユニット２及び電源ユニット３を保持する器具本体４とを備えている。ただし、以下の説明においては、図１において照明器具１の上下、左右、前後の各方向を規定する。
【００１３】
光源ユニット２は、ＬＥＤモジュール２０と、ユニットカバー２１と、放熱部材２２とを有している（図１及び図３参照）。ＬＥＤモジュール２０は、矩形の基板２００の下面に複数個のＬＥＤ（Light Emitting Diode）が実装されて構成されている。これら複数個のＬＥＤは、例えば、照明用白色ＬＥＤであることが好ましい。
【００１４】
放熱部材２２は、ベース板２２０と、複数の放熱板２２１とで構成される。なお、ベース板２２０及び複数の放熱板２２１は、アルミ又はアミル合金の板材で形成されることが好ましい。ベース板２２０は矩形の板状に形成されている。ベース板２２０の下面に、ＬＥＤモジュール２０が取り付けられている。ＬＥＤモジュール２０の基板２００は、複数個のＬＥＤが実装されている実装面（下面）を下に向けてベース板２２０にねじ止めされている（図３参照）。複数の放熱板２２１は、ベース板２２０の上面に、前後方向及び左右方向に並べて取り付けられている。すなわち、複数個のＬＥＤが発する熱は、ベース板２２０から複数の放熱板２２１に伝導され、複数の放熱板２２１から大気中に放熱される。
【００１５】
ユニットカバー２１は、透光性を有する合成樹脂（ポリカーボネート樹脂又はアクリル樹脂など）により、扁平な矩形の箱状に形成される。ユニットカバー２１は、ＬＥＤモジュール２０を覆い隠すようにベース板２２０の下面に取り付けられる（図３参照）。
【００１６】
器具本体４は、図１及び図２に示すように、取付板４０と、一対の側板４１と、一対の連結板４２とを有している。取付板４０は、亜鉛鋼板などの金属板によって矩形に形成されている。一対の側板４１はそれぞれ、前後方向から見て台形状に形成されている（図１〜図３参照）。ただし、各側板４１には、２つの通気孔４１０が設けられている。各側板４１は、厚み方向に貫通する２つの通気孔４１０の間に、アーム支持部４１１が設けられている。一対の連結板４２はそれぞれ、前後方向に長尺であり、前後方向から見た形状がＬ字形に形成されている（図３参照）。なお、一対の側板４１と一対の連結板４２とは、いずれも亜鉛鋼板などの金属板で形成されることが好ましい。一対の側板４１は、長い方の底辺（下辺）の長手方向の両端に連結板４２が１つずつ固定される。つまり、一対の側板４１は、一対の連結板４２により、長い方の底辺の長手方向の両端で連結されている。また、一対の側板４１は、短い方の底辺（上辺）の上に取付板４０が固定されている。つまり、器具本体４は、取付板４０、一対の側板４１並びに一対の連結板４２により、下面及び左右両面が開放された四角錐台形状に形成されている。光源ユニット２は、器具本体４の内部に収納され、一対の側板４１のそれぞれの下辺から突出する支持片４１２、並びに一対の連結板４２のそれぞれの下側の片４２０の上に、ベース板２２０を載せるようにして器具本体４に支持される（図１〜図３参照）。ここで、光源ユニット２のユニットカバー２１は、器具本体４の下面の開口４３を通して器具本体４の下面から下向きに突出する（図２参照）。
【００１７】
アーム５は、亜鉛鋼板などの金属板によって、幅の細いＵ字形状に形成されている（図１参照）。アーム５の長手方向の両端部にそれぞれ一対のボルト挿通孔５０が貫通している。上側のボルト挿通孔は円形に形成され、下側のボルト挿通孔５０は円弧状の長円形に形成されている（図２参照）。アーム５は、上側のボルト挿通孔に挿通される第１ボルト５１により、第１ボルト５１を回転軸として、器具本体４の各側板４１が有するアーム支持部４１１に回転可能に支持される。ただし、アーム５の回転範囲は、下側のボルト挿通孔５０に挿通される第２ボルト５２がボルト挿通孔５０内を移動可能な範囲に限定されている。
【００１８】
電源ユニット３は、図３及び図４に示すように、ケース３０、カバー３１、回路ブロック３２、第１端子台３３、第２端子台３４などを備えている。回路ブロック３２は、外部から供給される電力（例えば、商用電源から供給される交流電力）を光源ユニット２（のＬＥＤモジュール２０）に必要とされる直流電力に変換する電力変換回路を有する。電力変換回路は、例えば、全波整流器、力率改善回路（昇圧チョッパ回路）、ＤＣ／ＤＣコンバータ（降圧チョッパ回路）などで構成される。また、電力変換回路は、調光信号線を介して外部から伝送される調光信号に応じて、降圧チョッパ回路から出力する出力電流を増減して光源ユニット２を調光するように構成されている。
【００１９】
回路ブロック３２は、図３に示すように、プリント配線板３２０の表面（下面）に、電力変換回路を構成する多数の回路部品３２１が実装されて構成される。また、回路ブロック３２は、電力変換回路の出力端に電気的に接続されている出力ケーブルを有する。出力ケーブルは、器具本体４の取付板４０を上下方向に貫通している挿通孔４００（図３及び図４参照）を通してケース３０の外に引き出され、光源ユニット２のＬＥＤモジュール２０と電気的に接続される。電力変換回路から出力される直流電力は、出力ケーブルを介してＬＥＤモジュール２０に供給される。なお、取付板４０の挿通孔４００には、出力ケーブルを保持するブッシング３２２が嵌め込まれている（図３参照）。
【００２０】
ケース３０は、亜鉛鋼板などの金属板で形成されている。ケース３０は、四辺形状（長方形状）の天板３００と、天板３００の４つの辺から下向きに突出する４つの側板とを有している。ここで、天板３００の２つの短辺のうちの右側の短辺から突出する側板を第１の側板３０１と呼ぶ。天板３００の左側の短辺から突出する側板を第２の側板３０２と呼ぶ。また、天板３００の前側の長辺から突出する側板を第３の側板３０３と呼ぶ。さらに、天板３００の後側の長辺から突出する側板を第４の側板３０４と呼ぶ。ケース３０の４つの側板３０１〜３０４は、天板３００の４つの辺と繋がった矩形の板材が下向きにほぼ直角に曲げ起こされることで天板３００と一体に形成されている。天板３００の下面に回路ブロック３２が取り付けられている（図３参照）。２つの端子台（第１端子台３３及び第２端子台３４）は、第１の側板３０１に取り付けられている。第１の側板３０１の前後方向のほぼ中央に、２つの挿通孔３０５が上下方向に並べて設けられている（図４参照）。第１端子台３３は、電源線用の端子台であり、第１の側板３０１の外表面において、挿通孔３０５の前方に配置されている。ただし、第１端子台３３は、外部の電源線用の複数（図示例では６個）の第１差込口３３０を前方に向け、回路ブロック３２と結線される電線用の複数（図示例では６個）の第２差込口３３１を後方に向けるように配置される（図３及び図４参照）。第２端子台３４は、調光信号線用の端子台であり、第１の側板３０１の外表面において、挿通孔３０５の後方に配置されている。ただし、第２端子台３４は、調光信号線用の複数（図示例では４個）の第１差込口３４０を後方に向け、回路ブロック３２と結線される電線用の複数（図示例では４個）の第２差込口３４１を前方に向けるように配置される（図４及び図６参照）。上側の挿通孔３０５には、第１端子台３３の第２差込口３３１に差し込まれる電線が挿通される。また、下側の挿通孔３０５には、第２端子台３４の第２差込口３４１に差し込まれる電線が挿通される。ここで、第１の側板３０１の２つの端縁（前端縁及び後端縁）から、矩形板状の突片３０６がそれぞれ突出している。これら２つの突片３０６は、左向きに曲げ起こされている。つまり、２つの突片３０６と第１の側板３０１との境界部分のうち、ケース３０の外側に露出する箇所が、各突片３０６の曲げ加工によって曲面形状に形成されている。
【００２１】
第２〜第４の側板３０２〜３０４のそれぞれには、多数の長孔状の通気孔３０７が貫通している。これらの通気孔３０７はそれぞれ、長手方向を上下方向に一致させ、かつ縦横に並ぶように形成されている。つまり、ケース３０は、回路ブロック３２から放射される熱で暖められたケース３０内の空気を、第２〜第４の側板３０２〜３０４に形成された多数の通気孔３０７からケース３０の外に排気させる。
【００２２】
ところで、第１の側板３０１の下端縁における前端に、外向き（右向き）に突出する第１固定片３０１０が設けられている（図４参照）。第２の側板３０２の下端縁における前端及び後端に、外向き（左向き）に突出する差込片３０２０がそれぞれ設けられている。さらに、第２の側板３０２の下端縁における前後方向の中央に、外向き（左向き）に突出する第２固定片３０２１が設けられている（図３参照）。一対の差込片３０２０はそれぞれ、取付板４０における左側の前端寄り及び後端寄りの部分に上向きに形成されている一対のブリッジ４０２のうちの対応するブリッジ４０２の下に差し込まれる。さらに、第１固定片３０１０は、取付板４０の右端における前寄りの位置に設けられているねじ孔４０３にねじ止めされる。第２固定片３０２１は、取付板４０の一対のブリッジ４０２の間に設けられているねじ孔４０４にねじ止めされる。つまり、ケース３０は、第１の側板３０１に設けられた第１固定片３０１０と、第２の側板３０２に設けられた一対の差込片３０２０及び第２固定片３０２１とによって取付板４０に取り付けられる（図１、図３及び図４参照）。
【００２３】
カバー３１は、亜鉛鋼板などの金属板により、複数の側壁（第１側壁３１０、第２側壁３１１、第３側壁３１２、第４側壁３１３）を有する箱形に形成されている（図４参照）。第２側壁３１１は、ケース３０の第１の側板３０１とほぼ同寸法の矩形状に形成されている。第２側壁３１１の下辺における長手方向の中央から、矩形板状の固定部３１４が右向きに突出している。また、固定部３１４の中央に、円形のねじ挿通孔３１４０が貫通している。このねじ挿通孔３１４０には、固定ねじ３６のねじ部３６１が上から下に向かって挿通される。そして、固定ねじ３６は、固定部３１４の下面側において、ねじ部３６１にワッシャ３７が嵌め合わされてねじ挿通孔３１４０から抜け止めされる（図５参照）。なお、固定ねじ３６の頭部３６０は、指で摘まんで回しやすいように刻み付き（ローレット目付き）の頭部であることが好ましい。
【００２４】
第１側壁３１０は、長尺の矩形状に形成され、第２側壁３１１の長手方向（前後方向）に沿って第２側壁３１１の上辺から横向き（左向き）に突出している。第３側壁３１２及び第４側壁３１３はそれぞれ、凹部（引出部３１５）を有しており、厚み方向（前後方向）から見て逆Ｌ字の形状に形成されている（図４及び図６参照）。第３側壁３１２は、第２側壁３１１の短手方向（上下方向）に沿って第２側壁３１１の前辺から横向き（左向き）に突出している。第４側壁３１３は、第２側壁３１１の短手方向（上下方向）に沿って第２側壁３１１の後辺から横向き（左向き）に突出している。ここで、第３側壁３１２及び第４側壁３１３のそれぞれの上端部は、第１側壁３１０の左端よりも左方へ突出している。そして、第３側壁３１２及び第４側壁３１３の各上端部には、上下方向を長手方向とする長円形の長孔からなる軸孔３１２０、３１３０が貫通している（図４参照）。第３側壁３１２の軸孔３１２０に挿通された取付ねじ３５が、ケース３０の第３の側板３０３の右上隅に設けられているねじ孔にねじ込まれる。ただし、取付ねじ３５の円筒部（頭部とねじ部の間でねじ山を有しない部分）の長さは、カバー３１を形成する金属板の板厚よりも長い。そして、第４側壁３１３の軸孔３１３０に挿通された取付ねじ３５が、ケース３０の第４の側板３０２の右上隅に設けられているねじ孔にねじ込まれる。このとき、各取付ねじ３５の頭部と、対応する側壁（第３側壁３１２又は第４側壁３１３）との間に円筒部による隙間が形成される。その結果、カバー３１は、２本の取付ねじ３５（の円筒部）を回転軸として回転可能にケース３０に取り付けられる（図１及び図５参照）。さらに、２つの軸孔３１２０、３１３０が長円形の長孔であるので、カバー３１は、２つの軸孔３１２０、３１３０の長手方向に沿ってケース３０に対してスライド可能である。
【００２５】
上述のようにケース３０に取り付けられるカバー３１は、固定部３１４が器具本体４（の取付板４０）に接触する位置（閉位置）と、第１側壁３１０（の左辺）がケース３０の天板３００に接触する位置（開位置）との間で回転可能である（図６及び図８参照）。また、カバー３１は、閉位置において、取付板４０に設けられている雌ねじ部４０１（図４参照）に固定ねじ３６のねじ部３６１をはめ込ませることによって器具本体４にねじ止め（固定）される（図３及び図６参照）。
【００２６】
次に、端子台（第１端子台３３及び第２端子台３４）に対して外部の電線（電源線及び調光信号線）を結線する作業（結線作業）について、図６〜図８を参照して説明する。なお、照明器具１は、例えば、体育館の天井の梁などにアーム５が固定されることで体育館の天井に設置される。さらに、照明器具１は、金属製のワイヤからなる落下防止ワイヤによって天井の梁と結合されている。
【００２７】
まず結線作業を行う作業者は、固定ねじ３６の頭部３６０を指で回して固定ねじ３６のねじ部３６１を取付板４０の雌ねじ部４０１から離脱させる。続いて、作業者は、カバー３１を手で持ち、固定ねじ３６のねじ部３６１が雌ねじ部４０１を抜け出すまで、軸孔３１２０、３１３０に沿ってカバー３１を上に移動させる（図７参照）。そして、作業者は、カバー３１を上向きに回転させて開位置に移動させる（図８参照）。なお、アーム５の回転は、アーム５の両端部におけるボルト挿通孔５０の長手方向の縁に第２ボルト５２が当たることにより、アーム５の中央部分が開位置のカバー３１と接触しない範囲に規制されている（図８参照）。それから、作業者は、カバー３１を開位置に止めた状態で第１端子台３３の第１差込口３３０に電源線を差し込んで結線する。さらに、作業者は、第２端子台３４の第１差込口３４０に調光信号線を差し込んで結線する。
【００２８】
続いて、作業者は、固定ねじ３６のねじ部３６１が取付板４０の雌ねじ部４０１と上下方向に重なる位置までカバー３１を下向きに回転させる（図７参照）。さらに、作業者は、ねじ部３６１の先端が雌ねじ部４０１にはまる位置まで、カバー３１を下向きにスライドさせる。最後に作業者は、頭部３６０を指で回して固定ねじ３６のねじ部３６１を雌ねじ部４０１にはめ合わせてカバー３１を取付板４０にねじ止めする（図６参照）。以上のような手順で端子台に対する電線の結線作業が完了する。
【００２９】
特許文献１記載の従来例は、端子台をケースの外に露出させているため、端子台に塵埃などの異物が付着し易い構造である。一方、照明器具１は、ケース３０の外に露出している端子台（第１端子台３３及び第２端子台３４）をカバー３１で覆っている。しかも、カバー３１は、端子台を覆う閉位置と端子台を露出させる開位置との間で回転可能にケース３０に取り付けられている。そのため、照明器具１は、カバー３１を閉位置から開位置に回転させることにより、カバー３１が器具本体４から取り外される場合と比較して、端子台に対する結線作業の作業性の低下を抑えることができる。さらに、カバー３１は、少なくとも閉位置において、器具本体４から離れる向き（上向き）にスライド可能にケース３０に取り付けられている。そのため、照明器具１は、カバー３１の第１側壁３１０の端部（図３における右側の端部）を、ケース３０の天板３００の端部（図３における左側の端部）に上から重ねることができる。そのため、照明器具１は、ケース３０の天板３００とカバー３１の第１側壁３１０との間に、上下方向に開いた隙間を生じさせないので、塵埃などの異物が端子台（第１端子台３３及び第２端子台３４）に付着することを抑制できる。
【００３０】
また、カバー３１を器具本体４に固定するための固定ねじ３６は、カバー３１の固定部３１４のねじ挿通孔３１４０に対して抜け止めされている。つまり、上述した作業者がカバー３１を回転させて結線作業を行う際、固定ねじ３６をカバー３１から取り外す必要がないので、固定ねじ３６を落下させるようなミスが生じない。
【００３１】
ところで、第１端子台３３に結線された電源線は、カバー３１の第３側壁３１２の引出部３１５からカバー３１の外（前方）に引き出される。同様に、第２端子台３４に結線された調光信号線は、カバー３１の第４側壁３１３の引出部３１５からカバー３１の外（後方）に引き出される。それぞれの引出部３１５は、第３側壁３１２及び第４側壁３１３に設けられた凹部で構成されている。しかも、凹部（引出部３１５）は、カバー３１の閉位置においてケース３０及び器具本体４に向けて開放されている（図１及び図６参照）。そのため、照明器具１は、カバー３１を閉位置に移動させる際、端子台に結線されている電線（電源線及び調光信号線）をケース３０及び器具本体４とカバー３１の間に挟み込み難くすることができる。
【００３２】
また、第３側壁３１２及び第４側壁３１３のそれぞれの引出部３１５から引き出される電線は、ケース３０の第１の側板３０１の前端縁及び後端縁に接する場合がある。ここで、金属板のエッジに電線が接するとき、金属板のエッジが電線の被覆（絶縁体）を傷付ける可能性がある。これに対して照明器具１は、第１の側板３０１の前端縁及び後端縁のうちで引出部３１５に臨む箇所（電線と接する可能性のある箇所）を、突片３０６の曲げ加工によって曲面形状に形成している。そのため、照明器具１は、第１の側板３０１に突片３０６を有しない場合と比較して、引出部３１５から引き出される電線（の被覆）に傷を付けることを抑制することができる。
【００３３】
上述のように照明器具１は、光源ユニット２と、光源ユニット２を点灯させる電源ユニット３と、光源ユニット２及び電源ユニット３を保持する器具本体４とを備えている。電源ユニット３は、外部から供給される電力を光源ユニット２に必要とされる電力に変換する電力変換回路（回路ブロック３２）と、箱形に形成されて回路ブロック３２を内部に収納するケース３０とを有している。電源ユニット３は、さらに、回路ブロック３２と電気的に接続されてケース３０の第１外表面（第１の側板３０１の外表面）に取り付けられる端子台（第１端子台３３又は第１端子台３３と第２端子台３４）と、端子台を覆うカバー３１とを有している。カバー３１は、端子台を覆う閉位置と、端子台を露出させる開位置との間で回転可能にケース３０に取り付けられている。さらに、カバー３１は、少なくとも閉位置において、器具本体４から離れる向きにスライド可能にケース３０に取り付けられている。
【００３４】
照明器具１は上述のように構成されるので、端子台（第１端子台３３又は第１端子台３３と第２端子台３４）に対する結線作業の作業性の低下を抑えつつ端子台（第１端子台３３又は第１端子台３３と第２端子台３４）への異物の付着を抑制することが可能となる。
【００３５】
照明器具１において、電源ユニット３は、閉位置のカバー３１と器具本体４をねじ止めする固定ねじ３６を備えることが好ましい。固定ねじ３６は、軸方向をカバー３１のスライド方向に平行させるようにカバー３１に取り付けられていることが好ましい。器具本体４は、固定ねじ３６のねじ部３６１と嵌め合わされる雌ねじ部４０１を有することが好ましい。
【００３６】
照明器具１が上述のように構成されれば、固定ねじ３６をカバー３１から取り外す必要をなくして固定ねじ３６の落下や紛失を防ぎつつ、固定ねじ３６によってカバー３１を器具本体４に強固に固定することができる。
【００３７】
照明器具１において、電源ユニット３は、端子台（第１端子台３３又は第１端子台３３と第２端子台３４）に結線される電線を、閉位置におけるカバー３１の外に引き出させる引出部３１５を有していることが好ましい。
【００３８】
照明器具１が上述のように構成されれば、引出部３１５を通してカバー３１の外に電線を容易に引き出すことができる。
【００３９】
照明器具１において、カバー３１は複数の側壁（第１側壁３１０、第２側壁３１１、第３側壁３１２及び第４側壁３１３）を有する箱形に形成されていることが好ましい。引出部３１５は、複数の側壁のうちの少なくとも１つの側壁（第３側壁３１２及び第４側壁３１３）に設けられた凹部であることが好ましい。凹部は、閉位置においてケース３０及び器具本体４に向けて開放されていることが好ましい。
【００４０】
照明器具１が上述のように構成されれば、カバー３１を閉位置に移動させる際、端子台に結線されている電線（電源線及び調光信号線）をケース３０及び器具本体４とカバー３１の間に挟み込み難くすることができる。
【００４１】
照明器具１において、ケース３０は、多辺形状の天板３００と、天板３００のそれぞれの辺から曲げ起こされている複数の側板（第１〜第４の側板３０１〜３０４）とを有することが好ましい。複数の側板のうちの１つの側板（第１の側板３０１）に端子台（第１端子台３３及び第２端子台３４）が取り付けられていることが好ましい。第１の側板３０１の端縁において、引出部３１５に臨む箇所（突片３０６）が曲面形状に形成されていることが好ましい。
【００４２】
照明器具１が上述のように構成されれば、第１の側板３０１の端縁によって引出部３１５から引き出される電線（の被覆）に傷を付けることを抑制することができる。
【００４３】
照明器具１は、長手方向の両端において器具本体４に回転可能に取り付けらるアーム５を備えることが好ましい。アーム５の回転は、開位置のカバー３１と接触しない範囲に規制されていることが好ましい。
【００４４】
照明器具１が上述のように構成されれば、回転可能なアーム５によって器具本体４の向きを調整可能としつつ、カバー３１の回転をアーム５で阻害することが防止できる。
【符号の説明】
【００４５】
１  照明器具
２  光源ユニット
３  電源ユニット
４  器具本体
５  アーム
３０  ケース
３１  カバー
３２  回路ブロック（電力変換回路）
３３  第１端子台（端子台）
３４  第２端子台（端子台）
３６  固定ねじ
３００  天板
３０１  第１の側板（側板）
３０２  第２の側板（側板）
３０３  第３の側板（側板）
３０４  第４の側板（側板）
３１０  第１側壁
３１１  第２側壁
３１２  第３側壁
３１３  第４側壁
３１５  引出部
３６１  ねじ部
４０１  雌ねじ部
【図１】
2018077957.tif 000003
【図２】
2018077957.tif 000004
【図３】
2018077957.tif 000005
【図４】
2018077957.tif 000006
【図５】
2018077957.tif 000007
【図６】
2018077957.tif 000008
【図７】
2018077957.tif 000009
【図８】
2018077957.tif 000010